(57)【要約】【課題】混合させる内容物の選択の幅を広げることができ、２種類の内容物が使用者の意図しないタイミングで混合されることを抑制できる二剤混合容器を提供する。【解決手段】本発明の二剤混合容器の一つの態様において、第１容器（１０）および第２容器（２０）の連結部（３２ａ，２２ａ）は、第１容器と第２容器とが相対的に回転されることで、第１容器と第２容器とを連結させ、第１容器の口部（１３）を閉塞するとともに、第１容器内に連通する第１連通孔（３５ｃ）が形成された第１閉塞部（３０）が配設され、第２容器の底部（２５）には、第１連通孔に連通可能な第２連通孔（２５ａ）が形成され、第２連通孔を閉塞する第２閉塞部（５０）が、破断可能な弱化部を介して連結され、第１閉塞部および第２閉塞部には、互いに係合することで、第１容器に対する第２閉塞部の容器軸周りの相対的な回転移動を規制する係合部（３９，５３）が各別に形成されている。【選択図】図１
2018070230.tif 000002
【特許請求の範囲】
【請求項１】
第１剤が収容される第１容器と、
前記第１剤と異なる第２剤が収容される第２容器と、
を備え、
前記第１容器および前記第２容器には、前記第１容器の口部と前記第２容器の底部とを容器軸方向に互いに対向させた状態で、前記第１容器と前記第２容器とを互いに連結する連結部が各別に設けられ、
前記連結部は、前記第１容器と前記第２容器とが前記容器軸周りに相対的に回転されることで、前記第１容器と前記第２容器とを連結させ、
前記第１容器の口部には、前記第１容器の口部を閉塞するとともに、前記第１容器内に連通する第１連通孔が形成された第１閉塞部が配設され、
前記第２容器の底部には、前記第１連通孔に連通可能な第２連通孔が形成されるとともに、前記第２連通孔を閉塞する第２閉塞部が、破断可能な弱化部を介して連結され、
前記第１閉塞部および前記第２閉塞部には、互いに係合することで、前記第１容器に対する前記第２閉塞部の前記容器軸周りの相対的な回転移動を規制する係合部が各別に形成されていることを特徴とする二剤混合容器。
【請求項２】
前記第１閉塞部は、前記第２閉塞部を保持する保持部を有することを特徴とする請求項１に記載の二剤混合容器。
【請求項３】
前記第１閉塞部は、前記第２容器側に開口する有底筒状の第１筒部を有し、
前記第１筒部の底壁部には、前記第１連通孔が形成され、
前記第２容器の底部には、前記第２連通孔の開口周縁部から前記第１容器側に向かって延び、前記第１容器側に開口する筒状の第２筒部が配設され、
前記第２筒部は、前記第１筒部の内側に嵌合されることを特徴とする請求項１または２に記載の二剤混合容器。
【発明の詳細な説明】
【技術分野】
【０００１】
本発明は、二剤混合容器に関する。
【背景技術】
【０００２】
２種類の内容物を、注出時において混合した状態で注出することができる混合容器が知られている（例えば、特許文献１参照）。特許文献１の混合容器では、容器本体の内部に、仕切り壁を介して区画された２つの空間が形成されており、各空間にはそれぞれ異なる内容物が充填されている。使用者は、容器本体を折り曲げることで容器本体内の仕切り壁の一部を破断させ、２つの空間内に充填された異なる内容物同士を混合させる。
【先行技術文献】
【特許文献】
【０００３】
【特許文献１】特開２００５−１５３９４５号公報
【発明の概要】
【発明が解決しようとする課題】
【０００４】
上記のような混合容器の場合、予め容器本体内に混合させる２種類の内容物が充填されている。そのため、混合させる内容物の種類を選択する余地がない。また、容器本体を取り扱う際に、容器本体に力が加えられて仕切り壁の一部が破断し、使用者が意図しないタイミングで、異なる内容物同士が混合される虞があった。
【０００５】
本発明は、上記問題点に鑑みて、混合させる内容物の選択の幅を広げることができ、２種類の内容物が使用者の意図しないタイミングで混合されることを抑制できる二剤混合容器を提供することを目的の一つとする。
【課題を解決するための手段】
【０００６】
本発明の二剤混合容器の一つの態様は、第１剤が収容される第１容器と、前記第１剤と異なる第２剤が収容される第２容器と、を備え、前記第１容器および前記第２容器には、前記第１容器の口部と前記第２容器の底部とを容器軸方向に互いに対向させた状態で、前記第１容器と前記第２容器とを互いに連結する連結部が各別に設けられ、前記連結部は、前記第１容器と前記第２容器とが前記容器軸周りに相対的に回転されることで、前記第１容器と前記第２容器とを連結させ、前記第１容器の口部には、前記第１容器の口部を閉塞するとともに、前記第１容器内に連通する第１連通孔が形成された第１閉塞部が配設され、前記第２容器の底部には、前記第１連通孔に連通可能な第２連通孔が形成されるとともに、前記第２連通孔を閉塞する第２閉塞部が、破断可能な弱化部を介して連結され、前記第１閉塞部および前記第２閉塞部には、互いに係合することで、前記第１容器に対する前記第２閉塞部の前記容器軸周りの相対的な回転移動を規制する係合部が各別に形成されていることを特徴とする。
【０００７】
本発明の二剤混合容器の一つの態様によれば、異なる内容物が収容された第１容器と第２容器とを、連結させない状態で保存しておき、使用する直前に連結させて異なる内容物同士を混合させることができる。そのため、第１容器に収容される第１剤の種類と第２容器に収容される第２剤の種類とを適宜変更することで、任意の２種類の内容物同士を混合させることができる。また、例えば、収容される第１剤が異なる複数種類の第１容器と、収容される第２剤が異なる複数種類の第２容器と、を予め用意しておき、複数の第１容器と複数の第２容器との中から、それぞれ１つずつ任意の容器を選択することで、任意の第１剤と第２剤とを混合させることができる。すなわち、使用者が意図して選んだ２種類の内容物を混合させることができる。したがって、本発明の二剤混合容器の一つの態様によれば、混合させる内容物の選択の幅を広げることができる。
【０００８】
また、本発明の二剤混合容器の一つの態様によれば、各連結部によって第１容器と第２容器とを相対的に回転させて連結させる際に、各係合部によって、第２閉塞部の第１容器に対する回転を規制することができる。これにより、第１容器と第２容器とを相対的に回転させることで、弱化部にせん断応力を加えて、弱化部をねじ切ることができる。したがって、第１容器と第２容器とを連結させると同時に、第２閉塞部を第２容器の底部から切り離し、第２連通孔を開放させて第１連通孔と連通させることができる。これにより、本発明の二剤混合容器の一つの態様によれば、第１容器と第２容器とを連結させる操作を行うことによって、第１容器と第２容器とを連結できるとともに、第１連通孔と第２連通孔とを連通させて、第１剤と第２剤とを混合させることが可能となる。したがって、第１容器と第２容器とを連結させることで、容易に２種類の内容物を混合できる。
【０００９】
このように、本発明の二剤混合容器の一つの態様では、２種類の内容物の混合操作が、２つの容器の連結操作である。そのため、使用者は、第１剤と第２剤とを混合させない場合には第１容器と第２容器とを互いに分離された状態で取り扱い、第１剤と第２剤とを混合させる場合に第１容器と第２容器とを連結させる。すなわち、使用者が第１剤と第２剤とを混合させることを意図しない場合には、第１容器と第２容器とは連結されず、第１剤と第２剤とは混合されない。したがって、本発明の二剤混合容器の一つの態様によれば、第１剤と第２剤とが使用者の意図しないタイミングで混合されることを抑制できる。  以上に説明したように、本発明の二剤混合容器の一つの態様によれば、混合させる内容物の選択の幅を広げることができ、２種類の内容物が使用者の意図しないタイミングで混合されることを抑制できる二剤混合容器が得られる。
【００１０】
前記第１閉塞部は、前記第２閉塞部を保持する保持部を有する構成としてもよい。
この構成によれば、第２閉塞部が第２容器の底部から切り離された後に、第２閉塞部を第１閉塞部に保持しておくことができる。これにより、切り離された第２閉塞部が第２容器内で移動することを抑制できる。したがって、例えば、切り離された第２閉塞部が第１剤と第２剤との混合物が注出される注出口を閉塞すること等がなく、混合物の注出が阻害されることを抑制できる。
【００１１】
前記第１閉塞部は、前記第２容器側に開口する有底筒状の第１筒部を有し、前記第１筒部の底壁部には、前記第１連通孔が形成され、前記第２容器の底部には、前記第２連通孔の開口周縁部から前記第１容器側に向かって延び、前記第１容器側に開口する筒状の第２筒部が配設され、前記第２筒部は、前記第１筒部の内側に嵌合される構成としてもよい。
この構成によれば、第２連通孔が開放された後に第２連通孔から流出する第２剤を、第２筒部内を通して第１筒部内に確実に流入させやすい。そのため、第２剤が第１容器の外部に漏れることを抑制できる。また、第１筒部と第２筒部との間から第１剤、第２剤あるいは混合物が漏れることを抑制できる。
【発明の効果】
【００１２】
本発明の一つの態様によれば、混合させる内容物の選択の幅を広げることができ、２種類の内容物が使用者の意図しないタイミングで混合されることを抑制できる二剤混合容器が提供される。
【図面の簡単な説明】
【００１３】
【図１】図１は、本実施形態の二剤混合容器を示す部分断面図である。
【図２】図２は、本実施形態の第１容器の部分を示す断面図である。
【図３】図３は、本実施形態の第２容器の部分を示す断面図である。
【図４】図４は、本実施形態の第１容器と第２容器との連結途中の状態を示す断面図である。
【図５】図５は、本実施形態の第１容器と第２容器との連結途中の状態を示す断面図である。
【図６】図６は、本実施形態の第１容器と第２容器とが連結された状態を示す断面図である。
【図７】図７は、本実施形態の第１容器と第２容器とが連結された連結体を示す部分断面図である。
【発明を実施するための形態】
【００１４】
以下、図面を参照しながら、本発明の実施形態に係る二剤混合容器について説明する。なお、本発明の範囲は、以下の実施の形態に限定されず、本発明の技術的思想の範囲内で任意に変更可能である。また、以下の図面においては、各構成をわかりやすくするために、各構造における縮尺および数等を、実際の構造における縮尺および数等と異ならせる場合がある。
【００１５】
本実施形態の二剤混合容器１は、図１に示すように、内容物として第１剤Ｃ１が収容される第１容器１０と、内容物として第１剤Ｃ１と異なる第２剤Ｃ２が収容される第２容器２０と、を備える。第１剤Ｃ１と第２剤Ｃ２とは、流動性を有していれば、特に限定されない。第１剤Ｃ１と第２剤Ｃ２とは、液体であってもよいし、粉体であってもよい。また、第１剤Ｃ１と第２剤Ｃ２とは、互いに状態が異なっていてもよい。例えば、第１剤Ｃ１と第２剤Ｃ２とのうちの一方が液体で、他方が粉体であってもよい。また、第１剤Ｃ１の種類および第２剤Ｃ２の種類は、互いに異なっていれば、特に限定されない。
【００１６】
本実施形態において、第１剤Ｃ１は、例えば、調味油であり、第２剤Ｃ２は、例えば、フレーバーである。本実施形態では、第１剤Ｃ１と第２剤Ｃ２とが混合された混合物Ｃ３は、例えば、ドレッシングである。なお、第１剤Ｃ１と第２剤Ｃ２とが混合された混合物Ｃ３は、ドレッシング以外の食品であってもよい。また、混合物Ｃ３としては、化粧品や薬品などを用いることもできる。混合物Ｃ３として薬品を用いる場合、混合物Ｃ３としては、例えば、混合させることで二酸化塩素を発生させる除菌剤などが挙げられる。
【００１７】
第１容器１０と第２容器２０とは、それぞれの中心軸を共通軸上に位置させた状態で、互いに連結可能である。以下の説明においては、この共通軸を容器軸Ｏと呼び、容器軸Ｏに沿う方向を上下方向と呼ぶ。上下方向に沿って第１容器１０側を下側と呼び、第２容器２０側を上側と呼ぶ。また、上下方向から視た平面視において、容器軸Ｏに直交する方向を径方向と呼び、容器軸Ｏ周りに周回する方向を周方向と呼ぶ。
なお、図１から図３においては、第１容器１０と第２容器２０とを連結させる前の二剤混合容器１の状態を示している。図４および図５においては、第１容器１０と第２容器２０とを連結させる途中の二剤混合容器１の状態を示している。図６および図７においては、第１容器１０と第２容器２０とを連結させた後の二剤混合容器１の状態を示している。
【００１８】
第１容器１０は、図１に示すように、第１容器本体１１と、第１閉塞部３０と、第１蓋体６０と、を有する。
第１容器本体１１は、第１剤Ｃ１を収容し上端部に口部１３を有する第１収容部１２と、口部１３の外周面から径方向外側に突出するフランジ部１４と、を有する。
第１収容部１２は、容器軸Ｏと同軸に配置された有底の円筒状である。口部１３の外径は、第１収容部１２のうちの口部１３よりも下側に位置する部分の外径よりも小さい。口部１３は、上側に開口する。
【００１９】
図２に示すように、口部１３の外周面には、径方向外側に突出した係合突起１３ａが形成されている。係合突起１３ａは、例えば、口部１３の全周に亘って設けられた円環状である。
フランジ部１４は、容器軸Ｏと同軸に配置された円環板状である。フランジ部１４は、口部１３の外周面のうち係合突起１３ａよりも下側の部分から径方向外側に突出している。フランジ部１４の径方向外端は、係合突起１３ａの径方向外端よりも径方向外側に配置されている。
【００２０】
第１閉塞部３０は、第１容器１０の口部１３に配設されている。第１閉塞部３０は、第１容器１０の口部１３を閉塞する。第１閉塞部３０は、蓋板部３１と、連結筒部３２と、外側装着筒部３３と、内側装着筒部３４と、第１筒部３５と、中央筒部３６と、保持部３８と、を有する。
蓋板部３１は、容器軸Ｏと同軸に配置された円環板状である。蓋板部３１は、口部１３の上側に配置され、口部１３の上端と接触している。
【００２１】
連結筒部３２は、蓋板部３１の径方向外縁から下側に延びた円筒状である。連結筒部３２の下端は、フランジ部１４の上面と上下方向に対向している。連結筒部３２の外周面には、雄ネジ部（連結部）３２ａが形成されている。
外側装着筒部３３は、連結筒部３２よりも径方向内側において蓋板部３１から下側に延びた円筒状である。外側装着筒部３３は、容器軸Ｏと同軸に配置されている。外側装着筒部３３は、第１容器本体１１の口部１３に外嵌されている。外側装着筒部３３の下端は、外側装着筒部３３の下端よりも上側に配置されている。外側装着筒部３３の下端の内周面には、径方向内側に突出する係合突起３３ａが形成されている。係合突起３３ａは、外側装着筒部３３の内周面の全周に亘って設けられている。係合突起３３ａは、口部１３の係合突起１３ａに下側から係合している。
【００２２】
内側装着筒部３４は、外側装着筒部３３よりも径方向内側において蓋板部３１から下側に延びた円筒状である。内側装着筒部３４は、容器軸Ｏと同軸に配置されている。内側装着筒部３４は、第１容器本体１１の口部１３の内側に嵌合されている。これにより、口部１３の上端部が外側装着筒部３３と内側装着筒部３４との径方向の間に嵌合され、口部１３に第１閉塞部３０が装着されている。内側装着筒部３４の下端は、外側装着筒部３３の下端よりも上側に配置されている。
【００２３】
第１筒部３５は、上側（第２容器２０側）に開口する有底筒状である。第１筒部３５は、蓋板部３１の内縁から下側に延びた円筒状の筒壁部３５ａと、筒壁部３５ａの下端に接続された底壁部３５ｂと、を有する。筒壁部３５ａは、第１容器本体１１の口部１３の径方向内側に配置されている。筒壁部３５ａの下端は、内側装着筒部３４の下端よりも下側で、外側装着筒部３３の下端よりも上側に配置されている。底壁部３５ｂは、容器軸Ｏと同軸に配置された円環板状である。底壁部３５ｂには、底壁部３５ｂを上下方向に貫通する第１連通孔３５ｃが形成されている。第１連通孔３５ｃは、第１容器１０内、すなわち第１容器本体１１内に連通する。図示は省略するが、第１連通孔３５ｃは、例えば、円形状である。第１連通孔３５ｃは、例えば、周方向に沿って並んで複数形成されている。
【００２４】
中央筒部３６は、第１筒部３５の底壁部３５ｂの内縁から上側に延びた筒状である。中央筒部３６は、上側に開口する円筒状である。中央筒部３６の上端部は、上下方向において第１筒部３５の上端部とほぼ同じ位置に配置されている。中央筒部３６の内側には、中央筒部３６の内部を上下方向に分断する仕切板部３７が配設されている。仕切板部３７は、容器軸Ｏと同軸に配置された円板状である。仕切板部３７は、中央筒部３６の内部の下部に配置されている。
【００２５】
中央筒部３６の内周面には、径方向内側に突出する第１係合部（係合部）３９が形成されている。第１係合部３９は、上下方向に延び、表裏面が周方向と直交する板状である。第１係合部３９は、仕切板部３７の上面から中央筒部３６の上端部まで延びている。第１係合部３９は、周方向に沿って複数並んで形成されている。
保持部３８は、仕切板部３７の上面から上側に突出する略円柱状である。保持部３８は、容器軸Ｏと同軸に配置されている。保持部３８の上端は、第１係合部３９の上端よりも下側に配置されている。保持部３８の上端部には、径方向外側に突出する保持凸部３８ａが形成されている。保持凸部３８ａは、保持部３８の全周に亘って設けられた円環状である。保持部３８は、後述する第２閉塞部５０を保持する。
【００２６】
第１蓋体６０は、第１容器１０を第２容器２０と連結させずに保存しておく際に、第１容器本体１１に装着しておく部材である。以下の第１蓋体６０の各部の説明は、第１蓋体６０が第１容器本体１１に装着された状態について行う。第１蓋体６０は、下側に開口し、容器軸Ｏと同軸に配置された有蓋の円筒状である。第１蓋体６０は、天板部６１と、外筒部６２と、内筒部６３と、を有する。
【００２７】
天板部６１は、容器軸Ｏと同軸に配置された円板状である。天板部６１は、第１閉塞部３０の上側を覆っている。天板部６１には、天板部６１の下面から下側に突出するシール部６１ａが設けられている。シール部６１ａは、容器軸Ｏと同軸に配置された円環状であり、第１閉塞部３０の蓋板部３１の上面と接触する。シール部６１ａによって第１閉塞部３０と第１蓋体６０との間がシールされ、第１剤Ｃ１が外部に漏れることが抑制される。
【００２８】
外筒部６２は、天板部６１の外周縁から下側に延びた円筒状である。外筒部６２の内周面には、第１閉塞部３０の雄ネジ部３２ａと螺合される雌ネジ部が形成されている。外筒部６２の雌ネジ部と第１閉塞部３０の雄ネジ部３２ａとが螺合されることで、第１蓋体６０は、第１閉塞部３０を介して第１容器本体１１に装着される。
内筒部６３は、シール部６１ａよりも径方向内側において、天板部６１から下側に延びた円筒状である。内筒部６３は、容器軸Ｏと同軸に配置されている。内筒部６３は、第１閉塞部３０の第１筒部３５の内側に嵌合されている。
第１蓋体６０を装着することで、第１容器本体１１内が密閉される。第１蓋体６０は、第１容器１０と第２容器２０とが連結される直前において第１容器本体１１から取り外される。
【００２９】
第２容器２０は、図１に示すように、第２容器本体２１と、第２閉塞部５０と、第２蓋体４０と、底蓋７０と、を有する。第２容器本体２１は、第２剤Ｃ２を収容する第２収容部２３と、第２収容部２３の径方向外側に配置された連結外筒部２２と、を有する。
第２収容部２３は、容器軸Ｏと同軸に配置された有底の円筒状である。第２収容部２３は、容器軸Ｏと同軸に配置された円筒状の筒状部２４と、筒状部２４の下部に接続された底部２５と、を有する。筒状部２４は、上端部に口部２４ａを有する。筒状部２４の内径は、上下方向の全体に亘って同じである。
【００３０】
底部２５は、筒状部２４の下部の内周面うち、筒状部２４の下端よりも上側に位置する部分から径方向内側斜め下方に延びた円環板状である。図３に示すように、第２容器２０の底部２５には、底部２５を上下方向に貫通する第２連通孔２５ａが形成されている。第２連通孔２５ａは、例えば、容器軸Ｏと同軸に配置された円形状である。本実施形態において第２連通孔２５ａの開口周縁部は、底部２５の内縁部である。第２連通孔２５ａは、第１容器１０の第１連通孔３５ｃと連通可能である。
第２容器２０の底部２５には、第２連通孔２５ａの開口周縁部から下側（第１容器１０側）に向かって延び、下側に開口する筒状の第２筒部２６が配設されている。第２筒部２６の下端は、筒状部２４の下端よりも下側に配置されている。
【００３１】
連結外筒部２２は、図１に示すように、第２収容部２３の径方向外側において第２収容部２３を囲む筒状である。連結外筒部２２は、容器軸Ｏと同軸に配置された円筒状である。連結外筒部２２の上端部は、第２収容部２３における筒状部２４の上部に接続されている。連結外筒部２２と第２収容部２３の筒状部２４との径方向の間には、隙間が設けられている。連結外筒部２２の下端は、第２筒部２６の下端よりも下側に配置されている。図３に示すように、連結外筒部２２の下端部の内周面には、雌ネジ部（連結部）２２ａが形成されている。
【００３２】
第２閉塞部５０は、第２連通孔２５ａを閉塞する。第２閉塞部５０は、第２筒部２６の径方向内側に配置されている。第２閉塞部５０は、第２連通孔２５ａを閉塞する閉塞蓋部５１と、閉塞蓋部５１から下側に延びた被保持部５２と、を有する。
閉塞蓋部５１は、上側に開口する有底筒状の基部５１ｂと、基部５１ｂの上端から径方向外側斜め上方に拡がる円環板状の円環板部５１ａと、を有する。基部５１ｂは、容器軸Ｏと同軸に配置された円筒状である。円環板部５１ａの外周縁は、弱化部２７を介して底部２５と連結されている。これにより、底部２５に、第２閉塞部５０が弱化部２７を介して連結されている。弱化部２７は、薄厚で破断可能な部分である。弱化部２７は、例えば、樹脂製である。
【００３３】
被保持部５２は、容器軸Ｏと同軸に配置された円柱状である。被保持部５２の下端面には、被保持部５２の下端面から上側に窪む穴部５２ａが形成されている。穴部５２ａの内周面は、容器軸Ｏと同軸に配置された円筒状である。穴部５２ａの内周面のうちの下部には、穴部５２ａの内周面から径方向外側に窪む被保持凹部５２ｂが形成されている。被保持凹部５２ｂは、穴部５２ａの内周面の全周に亘って設けられた円環状である。
被保持部５２の外周面には、径方向外側に突出する第２係合部（係合部）５３が形成されている。第２係合部５３は、上下方向に延び、表裏面が周方向と直交する板状である。第２係合部５３は、閉塞蓋部５１における基部５１ｂの下面から被保持部５２の下部まで延びている。第２係合部５３は、周方向に沿って複数並んで形成されている。
【００３４】
第２蓋体４０は、図１に示すように、第２容器本体２１の口部２４ａに開閉可能に装着されている。第２蓋体４０は、閉じた状態において第２容器本体２１内を密閉する。第２蓋体４０は、下側蓋部４１と、上側蓋部４２と、を有する。
下側蓋部４１は、口部２４ａに装着された装着筒部４３と、装着筒部４３の径方向内側に連設された注出筒部４４と、を有する。装着筒部４３と注出筒部４４とは、容器軸Ｏと同軸に配置されている。
【００３５】
注出筒部４４内には、注出筒部４４を閉塞する抜栓部４５が弱化部を介して破断可能に連結されている。抜栓部４５には、抜栓部４５の離脱時に操作するプルリング４６が配設されている。プルリング４６は、抜栓部４５から上方に向けて突設された支柱部を介して、抜栓部４５に連結されている。
上側蓋部４２は、下側蓋部４１の装着筒部４３にヒンジ部４２ａを介して連結されている。上側蓋部４２は、ヒンジ部４２ａを中心として開閉可能である。上側蓋部４２は、閉じた状態において、下側蓋部４１の注出筒部４４の上端開口を閉塞する。
【００３６】
底蓋７０は、第２容器２０を第１容器１０と連結させずに保存しておく際に、第２容器本体２１に装着しておく部材である。以下の底蓋７０の各部の説明は、底蓋７０が第２容器本体２１に装着された状態について行う。底蓋７０は、図３に示すように、下側に開口する筒状である。底蓋７０は、容器軸Ｏと同軸に配置された円筒状である。底蓋７０は、装着筒部７１と、底板部７２と、を有する。
【００３７】
装着筒部７１の外周面には、第２容器本体２１の雌ネジ部２２ａと螺合される雄ネジ部が形成されている。装着筒部７１の雄ネジ部と第２容器本体２１の雌ネジ部２２ａとが螺合されることで、底蓋７０は、第２容器本体２１に装着される。装着筒部７１の下端には、外径が大きくなる拡径部７１ａが設けられている。拡径部７１ａは、第２容器本体２１における連結外筒部２２の下端と上下方向に対向する。
【００３８】
底板部７２は、装着筒部７１の上端に接続されており、第２収容部２３の下側を覆っている。底板部７２には、下側に膨出する膨出部７３が設けられている。膨出部７３は、容器軸Ｏと同軸に配置された有底の円筒状である。膨出部７３の下端は、装着筒部７１の下端よりも上側に配置されている。膨出部７３の径方向内側には、第２筒部２６が配置されている。底蓋７０は、第１容器１０と第２容器２０とが連結される直前において第２容器本体２１から取り外される。
【００３９】
以下、第１容器１０と第２容器２０とを連結する手順について説明する。
まず、使用者は、第１容器１０から第１蓋体６０を取り外して除去し、第２容器２０から底蓋７０を取り外して除去する。これにより、第１容器１０において第１連通孔３５ｃは、第１筒部３５の上端開口を介して一時的に外部と連通した状態となる。また、第２容器２０においては、第２収容部２３および第２閉塞部５０が一時的に外部に露出した状態となる。
【００４０】
次に、使用者は、図４に示すように、第１容器１０の上端部に対して、上側から第２容器２０の下端部を近づけ、第１容器１０の口部１３と第２容器２０の底部２５とを容器軸Ｏ方向に互いに対向させた状態とする。そして、使用者は、第２容器２０を容器軸Ｏ周りに回転させて、第２容器２０の雌ネジ部２２ａを第１容器１０の雄ネジ部３２ａに螺合させていく。雌ネジ部２２ａと雄ネジ部３２ａとが螺合されていくに従って、第２容器２０は、下側に移動し、第１容器１０に近づいていく。このとき、第２容器２０の第２筒部２６は、第１筒部３５の内側に挿入されていき、被保持部５２は、中央筒部３６の内側に挿入されていく。
【００４１】
雌ネジ部２２ａと雄ネジ部３２ａとが螺合されていき、ある程度、第１容器１０と第２容器２０とが近づくと、図５に示すように、第１容器１０の第１係合部３９と第２容器２０の第２係合部５３とが、周方向に対向し、互いに係合する。これにより、第１容器１０に対する第２閉塞部５０の容器軸Ｏ周りの相対的な回転移動が規制される。この状態で、第２容器２０を第１容器１０に対して容器軸Ｏ周りに回転させると、第２容器２０の底部２５が容器軸Ｏ周りに回転するのに対して、第２閉塞部５０の回転が規制されるため、弱化部２７に周方向に沿ったせん断応力が加えられる。
【００４２】
また、第１容器１０と第２容器２０とがさらに近づくと、図６に示すように、第１容器１０の中央筒部３６の上端が、第２閉塞部５０における閉塞蓋部５１の基部５１ｂの下面に接触する。これにより、第２閉塞部５０の下側への移動が規制される。この状態で、第１容器１０と第２容器２０とがさらに近づくと、第２容器２０の底部２５が下側に移動するのに対して、第２閉塞部５０の下側への移動が規制されるため、弱化部２７に上下方向に沿ったせん断応力が加えられる。
【００４３】
以上のように、雌ネジ部２２ａと雄ネジ部３２ａとを螺合させていくと、弱化部２７に周方向および上下方向に沿ったせん断応力がそれぞれ加えられ、弱化部２７が破断する。これにより、第２容器２０の第２連通孔２５ａが開放されて、第１容器１０の第１連通孔３５ｃと連通する。したがって、第２容器２０内の第２剤Ｃ２が、第２連通孔２５ａ、第２筒部２６の内部、第１筒部３５の内部および第１連通孔３５ｃを介して、第１容器１０内に流入する。これにより、第１剤Ｃ１と第２剤Ｃ２とが混合される。
【００４４】
また、第１容器１０の中央筒部３６の上端が、第２閉塞部５０における閉塞蓋部５１の基部５１ｂの下面に接触した状態においては、第２容器２０における被保持部５２の穴部５２ａに、第１容器１０における保持部３８が挿入される。保持部３８の保持凸部３８ａは、穴部５２ａの被保持凹部５２ｂに係合される。これにより、保持部３８に被保持部５２が保持され、第２閉塞部５０が第１閉塞部３０に保持される。
【００４５】
使用者は、第２容器２０の筒状部２４の下端が第１容器１０の蓋板部３１の上面と接触するまで、第２容器２０を第１容器１０に対して回転させる。これにより、第１容器１０と第２容器２０とが完全に連結される。この状態において、第２筒部２６は、第１筒部３５の内側に嵌合される。第２容器２０の連結外筒部２２の下端は、第１容器１０のフランジ部１４と上下方向に対向する。
以上のように、連結部としての雌ネジ部２２ａと雄ネジ部３２ａとは、第１容器１０と第２容器２０とが容器軸Ｏ周りに相対的に回転されることで、第１容器１０と第２容器２０とを連結させる。
【００４６】
使用者は、連結させた第１容器１０と第２容器２０との連結体を振ることによって、第１剤Ｃ１と第２剤Ｃ２との混合を促進することができる。ここで、本実施形態では、第１容器１０内と第２容器２０内とは、第１連通孔３５ｃと第２連通孔２５ａとを介して連通した状態となっているため、各連通孔の周辺部に第１剤Ｃ１および第２剤Ｃ２が当たり、第１剤Ｃ１と第２剤Ｃ２とを攪拌しやすい。より具体的には、第１連通孔３５ｃおよび第２連通孔２５ａを介して移動する第１剤Ｃ１および第２剤Ｃ２は、第１閉塞部３０における第１筒部３５の底壁部３５ｂのうちの第１連通孔３５ｃが設けられていない部分、および第２閉塞部５０における閉塞蓋部５１の円環板部５１ａ等に当たることで、互いに攪拌される。これにより、第１剤Ｃ１と第２剤Ｃ２とを混合させることが容易である。
【００４７】
以上のようにして第１剤Ｃ１と第２剤Ｃ２とを混合させることで、図７に示すように、第１容器１０と第２容器２０との連結体内には、第１剤Ｃ１と第２剤Ｃ２とが混合された混合物Ｃ３が収容された状態となる。使用者は、この状態において第１容器１０の第２蓋体４０の上側蓋部４２を開いた状態とすることで、注出筒部４４の上端開口から混合物Ｃ３を注出することができる。なお、本実施形態の第２蓋体４０の場合、初めて使用する際には、使用者は、第２蓋体４０の上側蓋部４２を開いた状態とした後に、プルリング４６を引張して抜栓部４５を除去する。これにより、注出筒部４４が開放され、混合物Ｃ３を注出することが可能となる。
【００４８】
本実施形態によれば、異なる内容物が収容された第１容器１０と第２容器２０とを、連結させない状態で保存しておき、使用する直前に連結させて異なる内容物同士を混合させることができる。そのため、第１容器１０に収容される第１剤Ｃ１の種類と第２容器２０に収容される第２剤Ｃ２の種類とを適宜変更することで、任意の２種類の内容物同士を混合させることができる。また、例えば、収容される第１剤Ｃ１が異なる複数種類の第１容器１０と、収容される第２剤Ｃ２が異なる複数種類の第２容器２０と、を予め用意しておき、複数の第１容器１０と複数の第２容器２０との中から、それぞれ１つずつ任意の容器を選択することで、任意の第１剤Ｃ１と第２剤Ｃ２とを混合させることができる。すなわち、使用者が意図して選んだ２種類の内容物を混合させることができる。したがって、本実施形態によれば、混合させる内容物の選択の幅を広げることができる。
【００４９】
また、本実施形態によれば、第１容器１０および第２容器２０には、第１容器１０の口部１３と第２容器２０の底部２５とを上下方向（容器軸Ｏ方向）に互いに対向させた状態で、第１容器１０と第２容器２０とを互いに連結する連結部（雄ネジ部３２ａ，雌ネジ部２２ａ）が各別に設けられている。各連結部は、第１容器１０と第２容器２０とを容器軸Ｏ周りに相対的に回転させることで、第１容器１０と第２容器２０とを連結させる。そして、第１閉塞部３０および第２閉塞部５０には、互いに係合して第１容器１０に対する第２閉塞部５０の容器軸Ｏ周りの相対的な回転移動を規制する係合部（第１係合部３９，第２係合部５３）が各別に形成されている。第２閉塞部５０は、第１容器１０の第１連通孔３５ｃと連通可能な第２連通孔２５ａを閉塞し、破断可能な弱化部２７を介して第２容器２０の底部２５に連結されている。
【００５０】
そのため、各連結部によって第１容器１０と第２容器２０とを相対的に回転させて連結させる際に、各係合部によって、第２閉塞部５０の第１容器１０に対する回転を規制することができる。これにより、第１容器１０と第２容器２０とを相対的に回転させることで、弱化部２７にせん断応力を加えて、弱化部２７をねじ切ることができる。したがって、第１容器１０と第２容器２０とを連結させると同時に、第２閉塞部５０を底部２５から切り離し、第２連通孔２５ａを開放させて第１連通孔３５ｃと連通させることができる。これにより、本実施形態によれば、第１容器１０と第２容器２０とを連結させる操作を行うことによって、第１容器１０と第２容器２０とを連結できるとともに、第１連通孔３５ｃと第２連通孔２５ａとを連通させて、第１剤Ｃ１と第２剤Ｃ２とを混合させることが可能となる。したがって、第１容器１０と第２容器２０とを連結させることで、容易に２種類の内容物を混合できる。
【００５１】
このように、本実施形態では、２種類の内容物の混合操作が、２つの容器の連結操作である。そのため、使用者は、第１剤Ｃ１と第２剤Ｃ２とを混合させない場合には第１容器１０と第２容器２０とを互いに分離された状態で取り扱い、第１剤Ｃ１と第２剤Ｃ２とを混合させる場合に第１容器１０と第２容器２０とを連結させる。すなわち、使用者が第１剤Ｃ１と第２剤Ｃ２とを混合させることを意図しない場合には、第１容器１０と第２容器２０とは連結されず、第１剤Ｃ１と第２剤Ｃ２とは混合されない。したがって、本実施形態によれば、第１剤Ｃ１と第２剤Ｃ２とが使用者の意図しないタイミングで混合されることを抑制できる。
以上に説明したように、本実施形態によれば、混合させる内容物の選択の幅を広げることができ、２種類の内容物が使用者の意図しないタイミングで混合されることを抑制できる二剤混合容器１が得られる。
【００５２】
本実施形態においては、第１容器１０と第２容器２０とを相対回転させて連結していく際に、第１筒部３５の上端によって第２閉塞部５０の下側の移動が規制されて、弱化部２７に上下方向に沿ったせん断応力が加えられる。そのため、弱化部２７をより容易に破断させることができる。これにより、第１容器１０と第２容器２０とを相対回転させる力が小さい場合であっても、第１容器１０と第２容器２０とを連結して第２閉塞部５０を底部２５から切り離すことが容易である。
【００５３】
また、本実施形態によれば、第１閉塞部３０には、第２閉塞部５０を保持する保持部３８が設けられている。そのため、第２閉塞部５０が底部２５から切り離された後に、第２閉塞部５０を第１閉塞部３０に保持しておくことができる。これにより、切り離された第２閉塞部５０が第２容器２０内で移動することを抑制できる。したがって、例えば、切り離された第２閉塞部５０が第２蓋体４０における注出筒部４４を閉塞すること等がなく、混合した混合物Ｃ３の注出が阻害されることを抑制できる。
【００５４】
また、本実施形態によれば、底壁部３５ｂに第１連通孔３５ｃが形成された第１筒部３５が設けられ、第２容器２０の底部２５には、第２連通孔２５ａの開口周縁部から下側（第１容器１０側）に延び、下側に開口する第２筒部２６が配設されている。そして、第２筒部２６は、第１筒部３５の内側に嵌合される。これにより、第２連通孔２５ａが開放された後に第２連通孔２５ａから流出する第２剤Ｃ２を、第２筒部２６内を通して第１筒部３５内に確実に流入させやすい。そのため、第２剤Ｃ２が第１容器１０の外部に漏れることを抑制できる。また、第１筒部３５と第２筒部２６との間から第１剤Ｃ１、第２剤Ｃ２あるいは混合された混合物Ｃ３が漏れることを抑制できる。
【００５５】
なお、本発明は上述の実施形態に限られず、下記の構成を採用することもできる。
上述した実施形態では、第１容器１０と第２容器２０とに各別に設けられた連結部は、それぞれネジ部である構成としたが、これに限られない。連結部は、第１容器１０と第２容器２０とを相対回転させることで連結できるならば、特に限定されない。例えば、連結部は、周方向に沿って螺旋状に延びる溝と、その溝に挿入される突起とであってもよい。この場合、例えば、第１容器１０と第２容器２０との１回転未満の相対回転で、第１容器１０と第２容器２０とが連結される構成であってもよい。
【００５６】
また、上述した実施形態では、第１閉塞部３０は、第１容器本体１１と別部材としたが、これに限られない。第１閉塞部３０は、第１容器本体１１と一体の部材として設けられてもよい。
また、保持部３８の構成は、第２閉塞部５０を保持できるならば、特に限定されない。保持部３８は、設けられていなくてもよい。
また、上述した実施形態では、弱化部２７に対して、周方向に沿ったせん断応力に加えて、上下方向に沿ったせん断応力も加えられる構成としたが、これに限られない。弱化部２７は、周方向に沿ったせん断応力が加えられることのみによって破断されてもよい。
また、上記説明した実施形態の二剤混合容器１の用途は、特に限定されない。
また、上記説明した各構成は、相互に矛盾しない範囲内において、適宜組み合わせることができる。
【符号の説明】
【００５７】
１…二剤混合容器、１０…第１容器、１３…口部、２０…第２容器、２２ａ…雌ネジ部（連結部）、２５…底部、２５ａ…第２連通孔、２６…第２筒部、２７…弱化部、３０…第１閉塞部、３２ａ…雄ネジ部（連結部）、３５…第１筒部、３５ｂ…底壁部、３５ｃ…第１連通孔、３８…保持部、３９…第１係合部（係合部）、５０…第２閉塞部、５３…第２係合部（係合部）、Ｃ１…第１剤、Ｃ２…第２剤、Ｏ…容器軸
【図１】
2018070230.tif 000003
【図２】
2018070230.tif 000004
【図３】
2018070230.tif 000005
【図４】
2018070230.tif 000006
【図５】
2018070230.tif 000007
【図６】
2018070230.tif 000008
【図７】
2018070230.tif 000009